(57)【要約】【課題】  本発明は上述の問題を解決するための案出されたものであり、本発明は、偏光方向のスイッチングが可能な能動型偏光フィルムを用いて３Ｄ映像を実現する立体映像表示装置およびその駆動方法を提供する。【解決手段】  立体映像表示装置が開示される。本立体映像表示装置は、３Ｄ映像を入力される映像入力部と、入力された３Ｄ映像を左眼映像および右眼映像に分離して処理する映像処理部と、偏光方向のスイッチングが可能な一枚の偏光フィルムを備え、前記偏光フィルムの偏光方向をスイッチングして表示される左眼映像および右眼映像に対して相違した偏光方向を提供する映像出力部と、映像処理部で処理された前記左眼映像および前記右眼映像が時分割されて交互に表示されるように前記映像出力部を制御する制御部とを含む。これにより、３Ｄ映像をより簡単に実現することが可能になる。【選択図】図３
2011242773.tif 000002
【特許請求の範囲】
【請求項１】
３Ｄ映像を入力される映像入力部と、
前記入力された３Ｄ映像を左眼映像および右眼映像に分離して処理する映像処理部と、
偏光方向のスイッチングが可能な一枚の偏光フィルムを備え、前記偏光フィルムの偏光方向をスイッチングして表示される左眼映像および右眼映像に対して相違した偏光方向を提供する映像出力部と、
前記映像処理部で処理された前記左眼映像および前記右眼映像が時分割されて交互に表示されるように前記映像出力部を制御する制御部と、
を含む立体映像表示装置。
【請求項２】
前記映像出力部は、
左眼映像および右眼映像を表示する表示パネル部と、
前記表示パネル部の全領域に対応し、偏光方向の調整が可能な一枚の偏光フィルムを備える偏光フィルム部と、
前記左眼映像が表示される場合前記第１偏光方向、前記右眼映像が表示される場合前記第２偏光方向を提供するように、前記偏光フィルムの偏光方向をスイッチングするスイッチング部と、
を含むことを特徴とする請求項１に記載の立体映像表示装置。
【請求項３】
前記制御部は、
前記左眼映像および前記右眼映像の間にブラック映像を表示するように前記表示パネル部を制御することを特徴とする請求項２に記載の立体映像表示装置。
【請求項４】
前記表示パネル部は、
２４０ＨｚＬＣＤパネルであることを特徴とする請求項３に記載の立体映像表示装置。
【請求項５】
前記映像出力部は、
前記表示パネル部に光を照射するバックライト発光部と、
前記バックライト発光部を駆動するバックライト駆動部とを更に含み、
前記制御部は、
前記左眼映像および前記右眼映像が表示される時期の予め設定された時間の間、前記バックライト発光部が駆動するように前記バックライト駆動部を制御することを特徴とする請求項２に記載の立体映像表示装置。
【請求項６】
前記表示パネル部は、
１２０ＨｚＬＣＤパネルであることを特徴とする請求項５に記載の立体映像表示装置。
【請求項７】
前記偏光フィルム部および前記スイッチング部は、
分割されていない一つのアクティブリターダ（ａｃｔｉｖｅ  ｒｅｔａｒｄｅｒ）で実現されることを特徴とする請求項２に記載の立体映像表示装置。
【請求項８】
立体映像表示装置の駆動方法において、
３Ｄ映像を入力されるステップと、
前記入力された３Ｄ映像を左眼映像および右眼映像に分離して処理するステップと、
前記処理された前記左眼映像および前記右眼映像を時分割して交互に表示するステップと、
偏光方向のスイッチングが可能な一枚の偏光フィルムを備え、前記偏光フィルムの偏光方向をスイッチングして表示される左眼映像および右眼映像に対して相違した偏光方向を提供するステップとを含む立体映像表示装置の駆動方法。
【請求項９】
前記立体映像表示装置は、前記左眼映像および前記右眼映像を出力する映像出力ユニットを備え、
前記映像出力ユニットは、
左眼映像および右眼映像を表示する表示パネルと、前記表示パネルの全領域に対応し、偏光方向の調整が可能な一枚の偏光フィルムと、前記左眼映像が表示される場合前記第１偏光方向、前記右眼映像が表示される場合前記第２偏光方向を提供するように、前記偏光フィルムの偏光方向をスイッチングするスイッチング素子を含むことを特徴とする請求項８に記載の立体映像表示装置の駆動方法。
【請求項１０】
前記左眼映像および前記右眼映像の間にブラック映像を表示するステップを更に含むことを特徴とする請求項９に記載の立体映像表示装置の駆動方法。
【請求項１１】
前記表示パネルは、
２４０ＨｚＬＣＤパネルであることを特徴とする請求項１０に記載の立体映像表示装置の駆動方法。
【請求項１２】
前記映像出力ユニットは、前記表示パネルに光を照射するバックライト発光素子を更に含み、
前記左眼映像および前記右眼映像が表示される時期の予め設定された時間の間、前記バックライト発光素子を点灯するステップを更に含むことを特徴とする請求項９に記載の立体映像表示装置の駆動方法。
【請求項１３】
前記表示パネルは、
１２０ＨｚＬＣＤパネルであることを特徴とする請求項１２に記載の立体映像表示装置の駆動方法。
【請求項１４】
前記偏光フィルムおよび前記スイッチング素子は、
分割のない一つのアクティブリターダ（ａｃｔｉｖｅ  ｒｅｔａｒｄｅｒ）で実現されることを特徴とする請求項９に記載の立体映像表示装置の駆動方法。
【発明の詳細な説明】
【技術分野】
【０００１】
本発明は、立体映像表示装置およびその駆動方法に関し、より詳細には、３次元立体映像を表示する立体映像表示装置およびその駆動方法に関する。
【背景技術】
【０００２】
３Ｄ立体映像技術は、情報通信、放送、医療、教育、訓練、軍事、ゲーム、アニメーション、仮想現実、ＣＡＤ、産業技術等、その応用分野が非常に多様であり、このような様々な分野で共通して必要とされる次世代の３Ｄ立体マルチメディア情報通信のコア基盤技術といえる。
【０００３】
一般的に、人間が知覚する立体感は、観察しようとする物体の位置による水晶体の厚さの変化度合い、両眼と対象物との角度の差、そして左右眼に見える対象物の位置および形の相違、対象物の運動によって生じる時差、その他に各種心理および記憶による効果等が複合的に作用して生じる。
【０００４】
その中でも、人の両眼が横方向に約６〜７ｃｍ程離れていることで生じる両眼時差(ｂｉｎｏｃｕｌａｒ  ｄｉｓｐａｒｉｔｙ)は、立体感において最も重要な要因といえる。即ち、両眼時差によって対象物に対する角度の差が生じたままモノを見るようになり、この差によってそれぞれの眼に入ってくるイメージが相互に異なる像を持つようになって、この二つの映像が網膜を通じて脳へと伝達されると、脳はこの二つの情報を正確に融合して本来の３Ｄ立体映像を感じることができるのである。
【０００５】
立体映像ディスプレイ装置としては、特殊眼鏡を使う眼鏡式と、特殊眼鏡を使わない非眼鏡式に分けられる。眼鏡式は、相互補色関係にある色フィルタを用いて映像を分離選択する色フィルタ方式、直交した偏光素子の組み合わせによる遮光効果を用いて左眼と右眼との映像を分離する偏光フィルタ方式および左眼映像信号と右眼映像信号とをスクリーンに投射する同期信号に対応して、左眼と右眼とを交互に遮断することで、立体感を感じられるようにするシャッターグラス方式が存在する。
【０００６】
このうち偏光フィルタ方式は、左右偏光が異なるパッシブタイプ（ｐａｓｓｉｖｅ  ｔｙｐｅ）偏光眼鏡を用いる方式である。
【０００７】
偏光眼鏡方式のうち、時間分割方式であるアクティブリターダ（ａｃｔｉｖｅ  ｒｅｔａｒｄｅｒ）は解像度を維持し、明るさと左右映像分離能力に優れるという長所を有する。
【０００８】
ところが、アクティブリターダによるＮ分割駆動の複雑性、構造的アライン（Ａｌｉｇｎ）の複雑性、これによるクローストーク（Ｃｒｏｓｓ−ｔａｌｋ）の発生などの問題がある。
【先行技術文献】
【特許文献】
【０００９】
【特許文献１】韓国特開第２００８−０１１０４５２号公報
【特許文献２】韓国特開第２００７−００９９１４３号公報
【特許文献３】韓国特開第２００９−０１００８００号公報
【特許文献４】韓国特開第２００９−０１０３９７３号公報
【発明の概要】
【発明が解決しようとする課題】
【００１０】
そこで、本発明は、上記問題に鑑みてなされたものであり、本発明の目的とするところは、偏光方向のスイッチングが可能な能動型偏光フィルムを用いて３Ｄ映像を実現する立体映像表示装置およびその駆動方法を提供することにある。
【課題を解決するための手段】
【００１１】
前記目的を達成するための本発明の一実施形態に係る立体映像表示装置は、３Ｄ映像を入力される映像入力部と、前記入力された３Ｄ映像を左眼映像および右眼映像に分離して処理する映像処理部と、偏光方向のスイッチングが可能な一枚の偏光フィルムを備え、前記偏光フィルムの偏光方向をスイッチングして表示される左眼映像および右眼映像に対して相違した偏光方向を提供する映像出力部と、前記映像処理部で処理された前記左眼映像および前記右眼映像が時分割されて交互に表示されるように前記映像出力部を制御する制御部とを含む。
【００１２】
なお、前記映像出力部は、左眼映像および右眼映像を表示する表示パネル部と、前記表示パネル部の全領域に対応し、偏光方向の調整が可能な一枚の偏光フィルムを備える偏光フィルム部と、前記左眼映像が表示される場合前記第１偏光方向、前記右眼映像が表示される場合前記第２偏光方向を提供するように、前記偏光フィルムの偏光方向をスイッチングするスイッチング部とを含んでよい。
【００１３】
なお、前記制御部は、前記左眼映像および前記右眼映像の間にブラック映像を表示するように前記表示パネル部を制御してよい。
【００１４】
ここで、前記表示パネル部は、２４０ＨｚＬＣＤパネルであってよい。
【００１５】
なお、前記映像出力部は、前記表示パネル部に光を照射するバックライト発光部と、前記バックライト発光部を駆動するバックライト駆動部とを更に含み、前記制御部は、前記左眼映像および前記右眼映像が表示される時期の予め設定された時間の間、前記バックライト発光部が駆動するように前記バックライト駆動部を制御してよい。
【００１６】
ここで、前記表示パネル部は、１２０ＨｚＬＣＤパネルであってよい。
【００１７】
なお、前記偏光フィルム部および前記スイッチング部は、分割されていない一つのアクティブリターダ（ａｃｔｉｖｅ  ｒｅｔａｒｄｅｒ）で実現されてよい。
【００１８】
一方、本発明の一実施形態に係る立体映像表示装置の駆動方法は、３Ｄ映像を入力されるステップと、前記入力された３Ｄ映像を左眼映像および右眼映像に分離して処理するステップと、前記処理された前記左眼映像および前記右眼映像を時分割して交互に表示するステップと、偏光方向のスイッチングが可能な一枚の偏光フィルムを備え、前記偏光フィルムの偏光方向をスイッチングして表示される左眼映像および右眼映像に対して相違した偏光方向を提供するステップとを含む。
【００１９】
ここで、前記立体映像表示装置は、前記左眼映像および前記右眼映像を出力する映像出力ユニットを備え、前記映像出力ユニットは、左眼映像および右眼映像を表示する表示パネルと、前記表示パネルの全領域に対応し、偏光方向の調整が可能な一枚の偏光フィルムと、前記左眼映像が表示される場合前記第１偏光方向、前記右眼映像が表示される場合前記第２偏光方向を提供するように、前記偏光フィルムの偏光方向をスイッチングするスイッチング素子を含んでよい。
【００２０】
なお、前記左眼映像および前記右眼映像の間にブラック映像を表示するステップを更に含んでよい。
【００２１】
ここで、前記表示パネルは、２４０ＨｚＬＣＤパネルであってよい。
【００２２】
なお、前記映像出力ユニットは、前記表示パネルに光を照射するバックライト発光素子を更に含み、前記左眼映像および前記右眼映像が表示される時期の予め設定された時間の間、前記バックライト発光素子を点灯するステップを更に含んでよい。
【００２３】
ここで、前記表示パネルは、１２０ＨｚＬＣＤパネルであってよい。
【００２４】
なお、前記偏光フィルムおよび前記スイッチング素子は、分割のない一つのアクティブリターダ（ａｃｔｉｖｅ  ｒｅｔａｒｄｅｒ）で実現されてよい。
【発明の効果】
【００２５】
これにより、Ｎ分割されたアクティブリターダによる駆動の複雑性、構造的アライン（Ａｌｉｇｎ）の複雑性を軽減することができるようになる。
【図面の簡単な説明】
【００２６】
【図１】本発明の一実施形態に係る３Ｄ映像提供システムを示す図である。
【図２】図１に示す立体映像表示装置の構成を示すブロック図である。
【図３】図２に示す映像出力部１３０の細部構成を示すブロック図である。
【図４Ａ】本発明の一実施形態に係る３Ｄ映像実現方法を説明するための図である。
【図４Ｂ】本発明の一実施形態に係る３Ｄ映像実現方法を説明するための図である。
【図５】図４Ａおよび図４Ｂに示す３Ｄ映像実現方法によるスキャニング方法を説明するための図である。
【図６Ａ】本発明の別の実施形態に係る３Ｄ映像実現方法を説明するための図である。
【図６Ｂ】本発明の別の実施形態に係る３Ｄ映像実現方法を説明するための図である。
【図７】図６Ａおよび図６Ｂに示す３Ｄ映像実現方法によるスキャニング方法を説明するための図である。
【図８】本発明の一実施形態に係る立体映像表示装置の駆動方法を説明するためのフローチャートである。
【発明を実施するための形態】
【００２７】
以下に添付図面を参照しながら、本発明の好適な実施の形態について詳細に説明する。
【００２８】
図１は、本発明の一実施形態に係る３Ｄ映像提供システムを示す図である。同図に示すように、３Ｄ映像を画面に表示するための立体映像表示装置１００および３Ｄ映像を視聴するための３Ｄグラス２００で構成される。
【００２９】
立体映像表示装置１００は、ディスプレイ装置の一種として、カメラなどの撮影装置から受信された３Ｄ映像またはカメラによって撮影されて放送局で編集／加工された後、放送局から送出された３Ｄ映像を受信し、受信された３Ｄ映像を処理した後にそれを画面に表示する。特に、立体映像表示装置１００は３Ｄ映像のフォーマットを参照し、左眼映像と右眼映像を加工し、加工された左眼映像と右眼映像とが時分割されて交互に表示されるようにすることができる。
【００３０】
３Ｄグラス２００は、左眼および右眼が互いに異なる偏光をもつパッシブタイプの偏光眼鏡で実現できる。パッシブタイプの偏光眼鏡は、アクティブタイプ、即ち、シャッターグラス（ｓｈｕｔｔｅｒ  ｇｌａｓｓ）より軽く安価であるという長所がある。
【００３１】
一方、本発明の一実施形態に係る映像提供システムは、３Ｄ映像を生成するためのカメラ（図示せず）を更に含んでよい。
【００３２】
カメラ（図示せず）は、３Ｄ映像を生成するための撮影装置の一種として、ユーザの左眼に提供することを目的として撮影された左眼映像と、ユーザの右眼に提供することを目的として撮影された右眼映像を生成する。即ち、３Ｄ映像は左眼映像と右眼映像とで構成され、このような左眼映像と右眼映像とがユーザの左眼と右眼にそれぞれ交互に提供され、両眼時差による立体感が生じるようになる。
【００３３】
これのために、カメラ（図示せず）は左眼映像を生成するための左眼カメラと、右眼映像を生成するための右眼カメラで構成され、左眼カメラと右眼カメラとの間隔は、人間の両目間の離隔間隔から考慮されるようになる。
【００３４】
カメラ（図示せず）は、撮影された左眼映像と右眼映像とを立体映像表示装置１００に伝達する。特に、カメラ（図示せず）が立体映像表示装置１００に伝達する左眼映像と右眼映像は、一つのフレームに左眼映像および右眼映像のうち一方の映像のみで構成されたフォーマットで伝達されたり、一つのフレームに左眼映像と右眼映像とが両方含まれるように構成されたフォーマットで伝達されることができる。
【００３５】
カメラ（図示せず）は多様な３Ｄ映像のフォーマットのうち一つのフォーマットを予め決定し、決定されたフォーマットにより３Ｄ映像を生成して立体映像表示装置１００に伝達することができる。
【００３６】
図２は、図１に示された立体映像表示装置１００の構成を示すブロック図である。
【００３７】
同図によると、本立体映像表示装置１００は、映像受信部１１０と、映像処理部１２０と、映像出力部１３０と、制御部１４０と、ユーザインターフェース部１５０および保存部１６０とを含む。
【００３８】
映像受信部１１０は、放送局または衛星から有線または無線で受信される放送を受信して復調する。なお、映像受信部１１０は、カメラなどの外部機器に接続されて外部再生機器から３Ｄ映像を入力されることができる。外部機器は無線で接続されたり、Ｓ−Ｖｉｄｅｏ、コンポーネント、コンポジット、Ｄ−Ｓｕｂ、ＤＶＩ、ＨＤＭＩなどのインターフェースを介して有線で接続されることができる。
【００３９】
上述のように、３Ｄ映像は少なくとも一つのフレームで構成された映像として、一つの映像フレームに左眼映像と右眼映像とが含まれたり、各フレームが左眼映像または右眼映像で構成された映像のことを意味する。即ち、３Ｄ映像は、多様な３Ｄフォーマットのうち一つによって生成された映像である。
【００４０】
従って、映像受信部１１０に受信される３Ｄ映像は多様なフォーマットによることができ、特に、一般的なトップ−ボトム（ｔｏｐ−ｂｏｔｔｏｍ）方式、サイドバイサイド（ｓｉｄｅ  ｂｙ  ｓｉｄｅ）方式、水平インターリーブ（ｈｏｒｉｚｏｎｔａｌ  ｉｎｔｅｒｌｅａｖｅ）方式、垂直インターリーブ（ｖｅｒｔｉｃａｌ  ｉｎｔｅｒｌｅａｖｅ）方式、またはチェッカーボード（ｃｈｅｃｋｅｒ  ｂｏａｒｄ）方式、シーケンシャルフレーム（ｓｅｑｕｅｎｔｉａｌ  ｆｒａｍｅ）のうち、いずれか一つによるフォーマットでもよい。
【００４１】
映像受信部１１０は、受信された３Ｄ映像を映像処理部１２０に伝達する。
【００４２】
映像処理部１２０は、映像受信部１１０から受信された３Ｄ映像に対してビデオデコーディング、フォーマット分析、ビデオスケーリングなどの信号処理およびＧＵＩ付加などの作業を行う。
【００４３】
特に、映像処理部１２０は、映像受信部１１０に入力された３Ｄ映像のフォーマットを用いて、一つの画面の大きさ（例えば、１９２０＊１０８０）に該当する左眼映像と右眼映像とをそれぞれ生成する。
【００４４】
即ち、３Ｄ映像のフォーマットが、トップ−ボトム（ｔｏｐ−ｂｏｔｔｏｍ）方式、サイドバイサイド（ｓｉｄｅ  ｂｙ  ｓｉｄｅ）方式、水平インターリーブ（ｈｏｒｉｚｏｎｔａｌ  ｉｎｔｅｒｌｅａｖｅ）方式、垂直インターリーブ（ｖｅｒｔｉｃａｌ  ｉｎｔｅｒｌｅａｖｅ）方式、またはチェッカーボード（ｃｈｅｃｋｅｒ  ｂｏａｒｄ）方式、シーケンシャルフレーム（ｓｅｑｕｅｎｔｉａｌ  ｆｒａｍｅ）によるフォーマットである場合、映像処理部１２０は各映像フレームで左眼映像部分と右眼映像部分とをそれぞれ抽出し、抽出された左眼映像と右眼映像とを拡大スケーリングまたは補間することで、ユーザに提供するための左眼映像と右眼映像とをそれぞれ生成するようになる。
【００４５】
なお、３Ｄ映像のフォーマットが一般的なフレームシーケンス方式である場合、映像処理部１２０は各フレームから左眼映像または右眼映像を抽出してユーザに提供するための準備を行なう。
【００４６】
一方、入力された３Ｄ映像のフォーマットに対する情報は、３Ｄ映像信号に含まれても良く、含まれていなくても良い。
【００４７】
例えば、入力された３Ｄ映像のフォーマットに対する情報が、３Ｄ映像信号に含まれている場合、映像処理部１２０は３Ｄ映像を分析してフォーマットに対する情報を抽出し、抽出された情報によって受信された３Ｄ映像を処理するようになる。一方、入力された３Ｄ映像のフォーマットに対する情報が３Ｄ映像信号に含まれていない場合、映像処理部１２０はユーザによって入力されたフォーマットに従って受信された３Ｄ映像を処理したり、予め設定されたフォーマットに従って受信された３Ｄ映像を処理するようになる。
【００４８】
映像処理部１２０は抽出された左眼映像と右眼映像とを時分割して交互に映像出力部１３０に伝達する。即ち、映像処理部１２０は、「左眼映像（Ｌ１）→右眼映像（Ｒ１）→左眼映像（Ｌ２）→右眼映像（Ｒ２）→…」の時間的順番で左眼映像と右眼映像とを映像出力部１３０に伝達する。
【００４９】
映像出力部１３０は、映像処理部１２０から出力される左眼映像と右眼映像とを交互に出力してユーザに提供する。
【００５０】
特に、映像出力部１３０は、偏光方向のスイッチングが可能な偏光フィルム（または、偏光シート、偏光パネルなど）を備え、前記偏光フィルムの偏光方向をスイッチングして表示される左眼映像および右眼映像に対して、相違した偏光方向を提供することができる。
【００５１】
具体的に、左眼映像が表示される場合第１偏光方向、右眼映像が表示される場合第２偏光方向をもつように、偏光フィルムの偏光方向をスイッチングするように実現できる。ここで、偏光フィルムは、Ｎ分割されていないアクティブリターダ（ａｃｔｉｖｅ  ｒｅｔａｒｄｅｒ）で実現できる。その他に、映像出力部１３０に対する詳細な説明は、図３を参照して後述する。
【００５２】
制御部１４０は、後述のユーザインターフェース部１５０から伝達されたユーザ命令に従って立体映像表示装置１００の全体的な動作を制御する。
【００５３】
特に、制御部１４０は、映像受信部１１０および映像処理部１２０を制御し、３Ｄ映像が受信され、受信された３Ｄ映像が左眼映像と右眼映像とに分離され、分離された左眼映像と右眼映像とのそれぞれが一つの画面で表示できるような大きさでスケーリングまたは補間されるように制御する。
【００５４】
なお、制御部１４０は、映像出力部１３０を制御し、映像出力部１３０を介して提供される映像の偏光方向が左眼映像または右眼映像に一致するようにスイッチングされるようにすることができる。
【００５５】
ユーザインターフェース部１５０は、リモコンなどの入力手段から受信されるユーザ命令を制御部１４０に伝達する。
【００５６】
保存部１６０は、立体映像表示装置１００を動作させるために必要な各種プログラムなどが保存される保存媒体として、メモリ、ＨＤＤ（Ｈａｒｄ  Ｄｉｓｋ  Ｄｒｉｖｅ）などで実現可能である。
【００５７】
一方、本発明の一実施形態によると、３Ｄグラス（図示せず）としてはパッシブ３Ｄグラスが用いられることができる。３Ｄ映像に用いられるパッシブ３Ｄグラスは、左眼と右眼との偏光方向を異なるように実現したものとして、これに対する詳細な説明は省略する。
【００５８】
図３は、図２に示された映像出力部１３０の詳細構成を示すブロック図である。
【００５９】
同図によると、映像出力部１３０は、パネル駆動部１３１と、表示パネル部１３２と、偏光フィルム部１３３と、スイッチング部１３４と、バックライト駆動部１３５およびバックライト発光部１３６を含む。
【００６０】
表示パネル部１３２は、左眼映像および右眼映像を表示する機能を担うものとして、ＬＣＤパネルで実現できる。
【００６１】
パネル駆動部１３１は、制御部１４０の制御により表示パネル部１３２を駆動する機能を担う。
【００６２】
偏光フィルム部１３３は、表示パネル部１３２の全領域に対応するように備えられ、偏光方向の調整が可能な一つの偏光フィルムで実現できる。
【００６３】
具体的に、偏光フィルム部１３３は、偏光フィルム表面に映像が表現される方向を制御できる特殊機能セルを含んでよい。
【００６４】
スイッチング部１３４は、左眼映像が表示される場合第１偏光方向、前記右眼映像が表示される場合第２偏光方向をもつように、偏光フィルムの偏光方向をスイッチングできる。即ち、スイッチング１３４は、偏光フィルム部１３３が表示パネル部１３２の信号と同期化して駆動するようにすることができる。
【００６５】
例えば、スイッチング部１３４は表示パネル部１３２に左眼映像が表示されると、偏光眼鏡、即ち、３Ｄグラスの左眼偏光に対応する第１偏光方向をもつように、偏光フィルム部１３３の偏光方向をスイッチングできる。ここで、左眼偏光は例えば、左円偏光、左楕円偏光などであってよい。
【００６６】
なお、スイッチング部１３４は表示パネル部１３２に右眼映像が表示されると、偏光眼鏡、即ち、３Ｄグラスの右眼偏光に対応する第２偏光方向をもつように、偏光フィルム部１３３の偏光方向をスイッチングできる。ここで、右眼偏光は例えば、右円偏光、右楕円偏光などであってよい。
【００６７】
例えば、偏光フィルム部１１３およびスイッチング部１３４は、Ｐ／Ｓスイッチングが可能なアクティブリターダ（ａｃｔｉｖｅ  ｒｅｔａｒｄｅｒ）で実現できる。
【００６８】
一方、制御部１４０は、左眼映像および右眼映像の間にブラック映像を表示するように、表示パネル部１３２を制御することができる。この場合、表示パネル部１３２は２４０ＨｚＬＣＤパネルで実現できる。これにより、ブラック映像により左眼映像および右眼映像が互いにミキシングすることを防ぐことができるようになる。
【００６９】
なお、映像出力部１３０は、表示パネル部１３２に光を照射するバックライト発光部１３６およびバックライト発光部１３６を駆動するためのバックライト駆動部１３５を含んでよい。
【００７０】
バックライト駆動部１３５は、１フレーム周期を構成する複数個のスキャニングパルスをもち、制御部１４０の制御により調節されるスキャニング信号を生成してバックライト発光部１３６を駆動する。
【００７１】
バックライト発光部１３６は、表示パネル部１３２に光を照射し、光源として、ＬＥＤ（Ｌｉｇｈｔ  Ｅｍｉｔｔｉｎｇ  Ｄｉｏｄｅ）、ＣＣＦＬ（Ｃｏｌｄ  Ｃａｔｈｏｄｅ  Ｆｌｕｏｒｅｓｃｅｎｔ  Ｌａｍｐ）、ＨＣＦＬ（Ｈｏｔ  Ｃａｔｈｏｄｅ  Ｆｌｕｏｒｅｓｃｅｎｔ  Ｌａｍｐ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）、ＦＥＤ（Ｆｉｅｌｄ  Ｅｍｉｓｓｉｏｎ  Ｄｉｓｐｌａｙ）のうち、いずれか一つを用いてよい。なお、バックライト発光部１３６は、所定数個の領域に分割されてバックライト駆動部１３５によりスキャニング駆動される。所定個数の領域は、ライン単位で区分けされてもよいし、またはブロック単位で区分けされてよい。ここで、ブロックは所定個数のランプでもよく、バックライト駆動部１３５は各ブロック毎に点滅できるように構成されてよい。
【００７２】
この場合、制御部１４０は左眼映像および右眼映像が表示される所定時点で、バックライト発光部１３６が駆動するように、バックライト駆動部１３５を制御することができる。この場合、表示パネル部１３２は１２０ＨｚＬＣＤパネルで実現できる。即ち、２０ＨｚＬＣＤパネルでは、ブラック映像を挿入できないため、左眼映像および右眼映像が表示される所定時点でバックライト発光部１３６が駆動するようにすることで、映像のミキシングを防止することができるようになる。
【００７３】
一方、本実施形態では、表示パネル部１３２と偏光フィルム部１３３、スイッチング部１３４などが別途に備えられるものとして説明してきたが、これは一実施形態に過ぎず、偏光フィルム部１３３とスイッチング部１３４は、表示パネル部１３２と一体で実現できる。例えば、ＬＣＤパネルは、ディスプレイパネルと、偏光フィルムと、偏光スイッチとを含む形態で実現できる。
【００７４】
図４Ａおよび図４Ｂは、本発明の一実施形態に係る３Ｄ映像実現方法を説明するための図である。以下では、説明の便宜上、偏光フィルム部１３３およびスイッチング部１３４は、アクティブリターダ（ａｃｔｉｖｅ  ｒｅｔａｒｄｅｒ）で実現される場合に想定して説明する。
【００７５】
図４Ａおよび図４Ｂによると、左眼映像が表示され、右眼映像が表示される前にブラック映像が表示されることができる。
【００７６】
図４Ａの一番目の図は、左眼映像が全画面の１／２程度表示された状態を示し、二番目の図は、左眼映像が全画面に表示された状態を示す。
【００７７】
三番目の図は、ブラック映像が全画面の１／２程度表示された状態を示し、四番目の図は、ブラック映像が全画面に表示された状態を示す。
【００７８】
一方、同図に示すように、左眼映像が表示される場合、パッシブタイプ偏光眼鏡の左側偏光に一致するようにアクティブリターダを駆動することができる。即ち、アクティブリターダの偏光がパッシブタイプ偏光眼鏡の左側偏光に一致するようにスイッチングできる。この場合、アクティブリターダは、従来の場合とは異なり、Ｎ分割されていない一つのリターダで実現できる。これにより、既存のＮ分割アクティブリターダの複雑な駆動方式を簡素化できるようになる。
【００７９】
図４Ｂの一番目の図は、右眼映像が全画面の１／２程度表示された状態を示し、二番目の図は、右眼映像が全画面に表示された状態を示す。
【００８０】
三番目の図は、ブラック映像が全画面の１／２程度表示された状態を示し、四番目の図は、ブラック映像が全画面に表示された状態を示す。
【００８１】
一方、同図に示すように、右眼映像が表示される場合、パッシブタイプ偏光眼鏡の左側偏光に一致するようにアクティブリターダを駆動することができる。即ち、アクティブリターダの偏光がパッシブタイプ偏光眼鏡の左側偏光に一致するようにスイッチングできる。この場合、アクティブリターダは、従来の場合とは異なり、Ｎ分割されていない一つのリターダで実現できる。これにより、既存のＮ分割アクティブリターダの複雑な駆動方式を簡素化できるようになる。
【００８２】
図５は、図４Ａおよび図４Ｂに示された３Ｄ映像実現方法によるスキャニング方法を説明するための図である。
【００８３】
同図で、横ラインは時間ドメインを示し、縦ラインは空間ドメインを示す。
【００８４】
同図に示すように、各スキャニングラインで、左眼映像（Ｌｅｆｔ）→ブラック映像（Ｂｌａｃｋ）→右眼映像（Ｒｉｇｈｔ）→ブラック映像（Ｂｌａｃｋ）→左眼映像（Ｌｅｆｔ）…の順に映像が表示される。
【００８５】
即ち、図５で、識別符号“Ａ”に該当するディスプレイ時期の画面は、ブラック映像が全画面の上半分１／２を占め、左眼映像が下半分１／２を占めるように表示される図４Ａの三番目の画面（Ａ）に対応する形態になることができる。
【００８６】
なお、図５で、識別符号“Ｂ”に該当するディスプレイ時期の画面は、ブラック映像が全画面の上半分１／２を占め、右眼映像が下半分１／２を占めるように表示される図４Ｂの三番目の画面（Ｂ）に対応する形態になることができる。
【００８７】
図６Ａおよび図６Ｂは、本発明の別の実施形態に係る３Ｄ映像実現方法を説明するための図である。以下では、説明の便宜上、偏光フィルム部１３３およびスイッチング部１３４が、アクティブリターダ（ａｃｔｉｖｅ  ｒｅｔａｒｄｅｒ）で実現される場合に想定して説明する。
【００８８】
図６Ａに示すように、表示パネル部１３２に光を照射するバックライト発光部１３６が左眼映像（ｌｅｆｔ  ｉｍａｇｅ）が表示される時期の所定期間の間にだけ点灯するようにできる。
【００８９】
なお、同図に示すように、左眼映像が表示される場合、パッシブタイプ偏光眼鏡の左側偏光に一致するようにアクティブリターダ１３３、１３４を駆動することができる。即ち、アクティブリターダの偏光がパッシブタイプ偏光眼鏡の左側偏光に一致するようにスイッチングできる。
【００９０】
この場合、アクティブリターダは、従来の場合とは異なり、Ｎ分割されていない一つのリターダで実現できる。
【００９１】
なお、図６Ｂに示すように、右眼映像（ｒｉｇｈｔ  ｉｍａｇｅ）が表示されている場合、パッシブタイプ偏光眼鏡の右側偏光に一致するようにアクティブリターダ１３３、１３４を駆動することができる。即ち、アクティブリターダの偏光がパッシブタイプ偏光眼鏡の右側偏光に一致するようにスイッチングできる。
【００９２】
この場合、アクティブリターダは、従来の場合とは異なり、Ｎ分割されていない一つのリターダで実現できる。
【００９３】
上述のように、インパルシブバックライトスキャニング（Ｉｍｐｕｌｓｉｖｅ  Ｓｃａｎｎｉｎｇ  Ｂａｃｋｌｉｇｈｔ）を使う場合、バックライトが点灯した場合にのみ表示された画面が見えるようになるため、左眼映像と右眼映像がミキシングされることを防止することができるようになる。
【００９４】
図７は、図６Ａおよび図６Ｂに示された３Ｄ映像実現方法によるスキャニング方法を説明するための図である。
【００９５】
同図で、横ラインは時間ドメインを示し、縦ラインは空間ドメインを示す。
【００９６】
同図に示すように、各スキャニングラインで、左眼映像（Ｌｅｆｔ）→右眼映像（Ｒｉｇｈｔ）→左眼映像（Ｌｅｆｔ）…の順に映像が表示される。
【００９７】
なお、インパルシブバックライトスキャニング（Ｉｍｐｕｌｓｉｖｅ  Ｓｃａｎｎｉｎｇ  Ｂａｃｋｌｉｇｈｔ）を使って左眼映像または右眼映像の所定のスキャンタイミングに合わせて、予め設定された時間の間にだけバックライトを点灯することができる。即ち、左眼映像および右眼映像が表示される時期の予め設定された時間の間にだけ、表示パネル部１３２に光を照射するバックライト発光部１３６を点灯させて視覚的にインパルシブな映像を作り出すことができる。
【００９８】
図７で、“ＯＮ”で示された部分がバックライト発光部１３６が点灯する時間を示す。一方、図７では、左眼映像および右眼映像が表示された時期のうち後半にバックライト発光部１３６が点灯するものとして示したが、これは一実施形態に過ぎず、バックライト発光部１３６が点灯する時間は、当業者の設計事項によって多様に変更できる。
【００９９】
一方、上述の実施形態では、バックライト発光部１３６を構成するＢＬＵを全体的に点滅させるバックライトブリンキング（Ｂａｃｋｌｉｇｈｔ  ｂｌｉｎｋｉｎｇ）に着目して説明してきたが、場合によっては、ＢＬＵをランプ単位で点滅させるバックライトスクローリング（Ｂａｃｋｌｉｇｈｔ  ｓｃｒｏｌｌｉｎｇ）なども用いられることができる。
【０１００】
一方、上述の実施形態では、左眼映像が先に表示されて右眼映像が後で表示されるものとして説明してきたが、これは便宜のためであり、左眼映像および右眼映像のディスプレイ順番は、当業者の設計事項によって変更できる。
【０１０１】
図８は、本発明の一実施形態に係る立体映像表示装置の駆動方法を説明するためのフローチャートである。
【０１０２】
同図に示された立体映像表示装置の駆動方法によると、まず３Ｄ映像が入力されると（Ｓ８１０）、入力された３Ｄ映像を左眼映像および右眼映像に分離して処理する（Ｓ８２０）。
【０１０３】
次いで、Ｓ８２０ステップで処理された左眼映像および右眼映像を時分割して交互に表示する（Ｓ８３０）。
【０１０４】
この後、偏光方向のスイッチングが可能な一枚の偏光フィルムを通じて、左眼映像が表示される場合第１偏光方向、右眼映像が表示される場合第２偏光方向になるように、映像の偏光方向をスイッチングする（Ｓ８４０）。
【０１０５】
この場合、立体映像表示装置は、前記左眼映像および前記右眼映像を出力する映像出力ユニットを備え、映像出力ユニットは、左眼映像および右眼映像を表示する表示パネル、表示パネルの全領域に対応し、偏光方向の調整が可能な一枚の偏光フィルムおよび左眼映像が表示される場合第１偏光方向、右眼映像が表示される場合第２偏光方向をもつように、偏光フィルムの偏光方向をスイッチングするスイッチング素子を含んでよい。
【０１０６】
なお、前記左眼映像および前記右眼映像の間にブラック映像を表示するステップを更に含んでよい。これにより、左眼映像および右眼映像とのミキシングを防ぐことができる。この場合、表示パネルは、２４０ＨｚＬＣＤパネルであってよい。
【０１０７】
なお、映像出力ユニットは、表示パネルに光を照射するバックライト発光素子を更に含み、左眼映像および右眼映像が表示される時期の予め設定された時間の間、バックライト発光素子を点灯するステップを更に含んでよい。この場合、表示パネルは１２０ＨｚＬＣＤパネルであってよい。
【０１０８】
なお、偏光フィルムおよびスイッチング素子は、分割のない一つのアクティブリターダ（ａｃｔｉｖｅ  ｒｅｔａｒｄｅｒ）で実現できる。
【０１０９】
上述のように、本発明に係るＮ分割のないアクティブリターダを用いる３Ｄ実現方法は、Ｎ分割されたアクティブリターダによる駆動の複雑性、構造的アライン（Ａｌｉｇｎ）の複雑性などを軽減する効果がある。
【０１１０】
なお、Ｎ分割されたアクティブリターダによる駆動の複雑性、構造的アライン（Ａｌｉｇｎ）の複雑性によって生じるクローストーク（Ｃｒｏｓｓ−ｔａｌｋ）を抑制できるようになる。
【０１１１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011242773.tif 000003
【図２】
2011242773.tif 000004
【図３】
2011242773.tif 000005
【図４Ａ】
2011242773.tif 000006
【図４Ｂ】
2011242773.tif 000007
【図５】
2011242773.tif 000008
【図６Ａ】
2011242773.tif 000009
【図６Ｂ】
2011242773.tif 000010
【図７】
2011242773.tif 000011
【図８】
2011242773.tif 000012